(57)【特許請求の範囲】
【請求項１】
パネルに設けられた取付孔に挿入される本体部には、バルブが挿入可能とされる一方、パネルの取付孔の孔縁に係止される係止爪を備え、且つ前記本体部が前記取付孔を通過する際に内方へ撓み変形可能とされる弾性片と、前記本体部の径方向に張り出すとともに前記パネルに当接可能とされる押さえ壁とが設けられ、この押さえ壁と前記弾性片の係止爪との間に前記パネルを挟んだ状態で取り付けられるパネル取付型ハウジングにおいて、
前記弾性片は、前記本体部の挿入方向の前側に基端を有し、且つ前記挿入方向の後側に自由端を有する片持ち状に形成されており、
前記弾性片の内方には、その撓み変形を許容する撓み空間が形成されており、この弾性片の自由端における両側には前記押さえ壁が近接して設けられるとともに、前記本体部が前記パネルに取り付けられた状態で、前記弾性片の自由端には、前記挿入方向とは反対方向に延びて前記パネルから突出する解除片が設けられ、
且つ前記押さえ壁は、前記解除片よりも前記挿入方向の後側へ突出して形成されていることを特徴とするパネル取付型ハウジング。
【請求項２】
前記パネルの取付孔が略円形に形成されているのに対し、前記弾性片の基端が前記取付孔に対する前記本体部の挿入先端とされるとともに円弧状に形成され、且つこの弾性片の両側には前記基端に連続した円弧状の壁部が設けられ、これら弾性片及び壁部の外面が前記挿入先端側にかけて先細り状に形成されており、前記壁部が前記弾性片の係止爪よりも前記挿入方向の後方へ延出して形成されて、この壁部の延出部分に前記取付孔が嵌合可能とされていることを特徴とする請求項１記載のパネル取付型ハウジング。
【発明の詳細な説明】
【０００１】
【発明の属する技術分野】
本発明は、パネル取付型ハウジングに関する。
【０００２】
【従来の技術】
従来、パネルに取り付けるタイプのハウジングの一例として、図１０に示すように、バルブソケットが知られている。このものは、略筒状に形成された本体部１内に上方から図示しないバルブが、下方から電線Ｗに接続されてバルブと接触される端子金具２がそれぞれ挿入可能とされている。本体部１の上部には一対の側壁１Ａが設けられ、この側壁１Ａには片持ち状に形成されて、自由端３Ｃが上方へ延出され内方への撓み変形が可能な弾性片３が設けられており、この弾性片３には、パネル５の取付孔５Ａの上面側の孔縁に係止可能な係止爪３Ａが備えられている。係止爪３Ａの下側における本体部１の周面には、パネル５の下面に当接されて上記した係止爪３Ａとの間にパネル５を挟持するフランジ状の押さえ壁４が設けられており、これによりバルブソケットはパネル５に取付可能とされている。
なお、このようなバルブソケットは、例えば特開平１１−１５４５７５号公報に記載されている。
【０００３】
【発明が解決しようとする課題】
ところで、バルブソケットをパネル５に取り付けた状態で、電線Ｗや本体部１が不用意に矢線Ａに示す外し方向に引っ張られる場合がある。この引っ張り力は、パネル５に係止している係止爪３Ａに直接に作用する。このとき、係止爪３Ａが弾性片３の撓み支点である基端３Ｂの外側に配され、且つ内方への変位が許容されている弾性片３の自由端３Ｃは、外し方向の後側に配されているため、弾性片３全体には矢線Ｂ方向への力が作用する。この力を受けて弾性片３が内方へ撓まされると、係止爪３Ａの取付孔５Ａの孔縁に対する係止状態が解除されてしまい、結果として意図せずにバルブソケットがパネル５から抜け落ちる事態を招くおそれがあった。
本発明は上記のような事情に基づいて完成されたものであって、パネルに対するハウジングの保持力を向上させることを目的とする。
【０００４】
【課題を解決するための手段】
上記の目的を達成するための手段として、請求項１の発明は、パネルに設けられた取付孔に挿入される本体部には、バルブが挿入可能とされる一方、パネルの取付孔の孔縁に係止される係止爪を備え、且つ前記本体部が前記取付孔を通過する際に内方へ撓み変形可能とされる弾性片と、前記本体部の径方向に張り出すとともに前記パネルに当接可能とされる押さえ壁とが設けられ、この押さえ壁と前記弾性片の係止爪との間に前記パネルを挟んだ状態で取り付けられるパネル取付型ハウジングにおいて、前記弾性片は、前記本体部の挿入方向の前側に基端を有し、且つ前記挿入方向の後側に自由端を有する片持ち状に形成されており、前記弾性片の内方には、その撓み変形を許容する撓み空間が形成されており、この弾性片の自由端における両側には前記押さえ壁が近接して設けられるとともに、前記本体部が前記パネルに取り付けられた状態で、前記弾性片の自由端には、前記挿入方向とは反対方向に延びて前記パネルから突出する解除片が設けられ、且つ前記押さえ壁は、前記解除片よりも前記挿入方向の後側へ突出して形成されている構成としたところに特徴を有する。
【０００６】
請求項２の発明は、請求項１に記載のものにおいて、前記パネルの取付孔が略円形に形成されているのに対し、前記弾性片の基端が前記取付孔に対する前記本体部の挿入先端とされるとともに円弧状に形成され、且つこの弾性片の両側には前記基端に連続した円弧状の壁部が設けられ、これら弾性片及び壁部の外面が前記挿入先端側にかけて先細り状に形成されており、前記壁部が前記弾性片の係止爪よりも前記挿入方向の後方へ延出して形成されて、この壁部の延出部分に前記取付孔が嵌合可能とされているところに特徴を有する。
【０００８】
【発明の作用及び効果】
＜請求項１の発明＞
パネルに本体部を取り付けた後に、本体部が挿入方向と反対の外し方向に引っ張られることがあり、その場合引っ張り力は、パネルに係止する係止爪に作用する。ここで係止爪が設けられた弾性片は、撓み支点である基端が外し方向の後側に、撓みに伴って内方へ変位可能な自由端が外し方向の前側に配されているから、本体部に引っ張り力が作用すると、弾性片は外側へ撓み変形しようとするモーメントを生じ、係止爪のパネルに対する係止状態が外れにくくなり、もってパネルに対するハウジングの保持力を向上させることができる。
弾性片の撓み空間が自由端の両側に近接して設けられた押さえ壁により塞がれるから、撓み空間内に異物が侵入しにくくなり、例えば異物により弾性片が逆方向に撓まされるような事態が極力防がれる。
本体部をパネルから外すときは、パネルから突出して配されている解除片を治具などにより押圧して、弾性片を強制的に撓み変形させて、係止爪の係止状態を解除することができる。これにより、弾性片に無理な力を加えることなく、簡単にハウジングの取り外し作業を行うことができる。
【００１０】
＜請求項２の発明＞
取付孔に本体部を挿入する際に、本体部が軸線を傾けた姿勢で挿入されたとしても、本体部の挿入先端である弾性片の基端と壁部とが連続した円弧状に形成されるとともに、先細り状に形成されているから、挿入先端が取付孔の孔縁に当接されることで、本体部の姿勢が取付孔に対して真っ直ぐな姿勢に矯正されて本体部の挿入の案内がなされる。また、取付孔に円弧状の壁部の延出部分が嵌合されることで、取付後のハウジングのがたつきが防止される。
【００１２】
【発明の実施の形態】
以下、本発明の実施形態を添付図面に基づいて説明する。
＜第１実施形態＞
本発明の第１実施形態を図１ないし図７によって説明する。本実施形態では、パネルに取り付けられるウェッジベースバルブ用のバルブソケットについて示す。なお、以下では、パネルに対してバルブソケットを取り付ける向きを上方とする。
【００１３】
ウェッジベースバルブ１０（以下、単にバルブ１０という）は、図３に示すように、略円柱形状の発光部１１と平板状のベース部１２とから構成され、ベース部１２には発光部１１内の図示しないフィラメントと連絡された接点が設けられている。
【００１４】
バルブソケット２０の本体部２１は、図１に示すように、合成樹脂製で全体が略筒形状に形成されており、上部には略円弧状をなす側壁２２が一対設けられ、その内側の空間に上方からバルブ１０が挿入可能とされる一方、図３に示すように、下部には電線Ｗに接続された端子金具１３を下方から挿入可能な端子収容室２３が開口して設けられている。
【００１５】
端子収容室２３内に収容される端子金具１３は、電線Ｗの端末部分にかしめ接続されるバレル部１４を備えるとともに、その先端側にはバルブ１０を収容する空間側に突出して配される二股状の接触片１５が設けられ、この接触片１５間にバルブ１０のベース部１２が挟み込まれてその接点と接触されるようになっている。この端子金具１３は、端子収容室２３内において図示しない係止手段により抜け止め状態に保持されている。
【００１６】
一対の側壁２２は、図１に示すように、所定の間隔を空けて対向状に配されており、その円弧状の内周面には、バルブ１０の発光部１１が嵌合可能とされている。側壁２２の内側においてやや奥まった位置には、側壁２２の両端を結ぶ弦をなす保護壁２４がそれぞれ内方に張り出して設けられている。これらの保護壁２４の真下には、図３に示すように、端子金具１３の接触片１５が配されており、バルブ１０を上方から挿入する際にベース部１２が接触片１５に突き当たって変形させるのを防止できるようになっている。また、これらの保護壁２４には、内向きに対向したテーパ面が形成され、ベース部１２の奥方への進入を案内できるようになっている。
【００１７】
このバルブソケット２０が取り付けられるパネル１６には、バルブソケット２０を挿入するための取付孔１７が貫通して設けられている。この取付孔１７は、円形に形成されており、バルブソケット２０の側壁２２の円弧状に形成された外周面が嵌合可能とされている（図１参照）。
【００１８】
この側壁２２の下側には、本体部２１の径方向に張り出す押さえ壁２５が一対設けられており、これらの押さえ壁２５は、バルブソケット２０をパネル１６に取り付けた状態でパネル１６の下面側に当接されるようになっている。
【００１９】
さて、図１に示すように、両側壁２２における周方向の略中央には、片持ち状の弾性片２６がそれぞれ設けられている。これらの弾性片２６は、側壁２２の上端に基端２６Ａを有し、そこから外方へ持ち上げられつつ自由端２６Ｂが下方へ延出して形成されており、基端２６Ａを支点として自由端２６Ｂ側が内方へ変位されることで撓み変形が可能とされている。側壁２２と弾性片２６との間には、図３に示すように、弾性片２６の内方への撓み変形を許容する撓み空間Ｓが設けられている。この撓み空間Ｓに臨んだ側壁２２とその下側の本体部２１の周面とが下側へいくのに連れて先細り状となるように形成されることで、弾性片２６の撓み代が大きく取られている。
【００２０】
弾性片２６の基端２６Ａ側の外面と、弾性片２６の左右両脇において外部に露出した側壁２２の上部外面とは、図１及び図３に示すように、共に上端側にかけて細くなるようにテーパ状に形成されており、上端縁では両者２２，２６の外周面がほぼ同心の円弧状に形成されている。なお、この実施形態では、弾性片２６の左右で外部に露出した側壁２２が特許請求の範囲に示した壁部に相当している。
【００２１】
弾性片２６は、自由端２６Ｂ側が両脇の側壁２２よりも外方に張り出して形成されている。そして、この弾性片２６の外面において、押さえ壁２５の上面からほぼパネル１６の厚み分の間隔を空けた位置から下側が段付き状に引っ込んで形成されることで、係止爪２７が設けられている。この係止爪２７は、パネル１６の上面側の取付孔１７の孔縁に係止可能とされ、下側の押さえ壁２５との間でパネル１６を挟持するようになっている（図５参照）。
【００２２】
弾性片２６の自由端２６Ｂからは、図１及び図２に示すように、下方の押さえ壁２５の間に配される解除片２８が延出して設けられており、バルブソケット２０をパネル１６に取り付けた状態において、この解除片２８はパネル１６から下側へ飛び出すようになっている（図５参照）。また、左右の押さえ壁２５が弾性片２６から延出された解除片２８に近接した位置に配されており、これらの押さえ壁２５が弾性片２６の撓み空間Ｓを左右から塞ぐようになっている。
【００２３】
本実施形態は以上のような構造であり、続いてその作用について説明する。図３に示すように、バルブソケット２０をパネル１６に取り付ける際は、パネル１６の下面側から本体部２１の側壁２２を取付孔１７内に挿入する。このとき、仮に取付孔１７に対して本体部２１がその軸線を傾けた姿勢で挿入されようとしても、側壁２２及び弾性片２６の上端縁が取付孔１７の孔縁に突き当たるとともに、テーパ状に形成された上端外面に案内されることで、本体部２１は取付孔１７に対して真っ直ぐな姿勢に矯正されつつ挿入される。
【００２４】
本体部２１が上方へ押し込まれると、図４に示すように、弾性片２６の外面が取付孔１７の孔縁に押圧されて、弾性片２６は内方へ撓み変形される。そして、係止爪２７がパネル１６の上面側に飛び出したところで弾性片２６が弾性復帰して、図５に示すように、係止爪２７が取付孔１７の上面側の孔縁に係止されるとともに、自由端２６Ｂ側の外面が取付孔１７の周面に当接される。これと同時に押さえ壁２５がパネル１６の下面に当接されることで、係止爪２７と押さえ壁２５との間にパネル１６が挟まれて、本体部２１は抜け止め状態に保持される。これにより、バルブソケット２０はパネル１６に取り付けられる。
【００２５】
この取付状態では、側壁２２の外周面が取付孔１７に嵌合されているから、バルブソケット２０にがたつきが生じにくくなっている。また、押さえ壁２５が弾性片２６の左右両側に近接して配置されていることで、両側方から撓み空間Ｓが塞がれており、撓み空間Ｓ内に異物などが侵入するのが極力防がれ、例えば異物により弾性片２６が逆方向に撓まされるといった事態が防がれる。
【００２６】
このような取付状態において、図６の矢線Ｃに示すように、電線Ｗや本体部２１が外し方向へ引っ張られる場合がある。この引っ張り力が直接に加えられる係止爪２７が設けられている弾性片２６は、撓み支点である基端２６Ａが外し方向の後側に、撓みに伴って内方へ変位可能な自由端２６Ｂが外し方向の前側に配され、且つ係止爪２７が弾性片２６の基端２６Ａの外側に配されているから、弾性片２６には矢線Ｄに示すような外向きのモーメントが生じる。これにより、係止爪２７のパネル１６に対する係止状態が外れにくくなり、もってパネル１６に対するバルブソケット２０の保持力を向上させることができる。
【００２７】
一方、メンテナンスなどの事情でバルブソケット２０をパネル１６から外すときは、図７に示すように、パネル１６から後側に突出して配されている解除片２８を例えば治具１８で押圧して弾性片２６を内方へ撓ませて、係止爪２７の係止状態を解除しつつ本体部２１を取付孔１７から引き抜いて行う。弾性片２６をパネル１６の下面側から強制的に撓ませることができるから、弾性片２６に無理な力を加えることなく簡単にバルブソケット２０の取り外し作業を行うことができる。
【００２８】
以上説明したように本実施形態によれば、パネル１６に取り付けられたバルブソケット２０に引っ張り力や横揺れ力が加えられた場合でも、弾性片２６が内方へ撓み変形されにくく、すなわち係止爪２７のパネル１６に対する係止状態が解除されにくくなっているから、バルブソケット２０の保持力を向上させることができる。
【００２９】
＜第２実施形態＞
次に、本発明の第２実施形態を図８及び図９によって説明する。この第２実施形態では、上記第１実施形態に示したものよりも径の大きなバルブに対応したバルブソケットで、押さえ壁の形状に変更を加えたものについて示す。
【００３０】
この押さえ壁３０は、図８に示すように、本体部２１の全周面から外方へ張り出すフランジ状に形成されている。押さえ壁３０のうち弾性片２６の外方の位置する部位には、係止爪２７を成形するための型抜き孔３１が形成されている。図９に示すように、このバルブソケット２０がパネル１６に取り付けられた状態では、本体部２１の全周にわたって設けられた押さえ壁３０がパネル１６の下面に対して当接されるから、パネル１６に対するバルブソケット２０の取付状態をより安定したものとすることができる。
なお、その他の構造、作用及び効果は、上記した第１実施形態と同様であるから、その説明については省略する。
【００３１】
＜他の実施形態＞
本発明は上記記述及び図面によって説明した実施形態に限定されるものではなく、要旨を逸脱しない範囲内で種々変更して実施することができる。
【図面の簡単な説明】
【図１】本発明の第１実施形態に係るバルブソケットの斜視図
【図２】バルブソケットの側面図
【図３】パネルとバルブソケットの断面図
【図４】バルブソケットをパネルに取り付ける途中の状態を示す断面図
【図５】バルブソケットをパネルに取り付けた状態を示す断面図
【図６】バルブソケットに外し方向の引っ張り力が加えられた状態を示す断面図
【図７】バルブソケットをパネルから取り外す作業を示す断面図
【図８】本発明の第２実施形態に係るバルブソケットの斜視図
【図９】バルブソケットをパネルに取り付けた状態を示す断面図
【図１０】従来例の断面図
【符号の説明】
１６…パネル
１７…取付孔
２０…バルブソケット（パネル取付型ハウジング）
２１…本体部
２２…側壁（壁部）
２５，３０…押さえ壁
２６…弾性片
２６Ａ…基端
２６Ｂ…自由端
２７…係止爪
２８…解除片
Ｓ…撓み空間
【図１】
0003543697.tif 000002
【図２】
0003543697.tif 000003
【図３】
0003543697.tif 000004
【図４】
0003543697.tif 000005
【図５】
0003543697.tif 000006
【図６】
0003543697.tif 000007
【図７】
0003543697.tif 000008
【図８】
0003543697.tif 000009
【図９】
0003543697.tif 000010
【図１０】
0003543697.tif 000011